【手続補正書】
【提出日】平成20年1月11日(2008.1.11)
【手続補正１】
【補正対象書類名】特許請求の範囲
【補正対象項目名】全文
【補正方法】変更
【補正の内容】
【特許請求の範囲】
【請求項１】
入力されたデータを記憶する記憶装置と、
上記記憶装置内のデータを記録媒体に記録再生する情報記録再生装置と
を有する画像形成装置であって、
上記情報記録再生装置は、
上記記録媒体にデータを記録する時にデータを暗号化して上記記録媒体に記録させる暗号化手段と、
上記記録媒体からデータを再生する時に上記記録媒体から再生したデータを復号化する復号化手段と、
上記暗号化と上記復号化に使用する、上記情報記録再生装置に固有の暗号鍵を記憶する手段と
を有し、
上記情報記録再生装置が別の情報記録再生装置に固有の暗号鍵を記憶する手段を有し、上記別の情報記録再生装置に固有の暗号鍵をデータの復号化に使用することを特徴とする画像形成装置。
【請求項２】
請求項１記載の画像形成装置であって、
上記情報記録再生装置が上記情報記録再生装置の製造番号を記憶する手段を有し、上記情報記録再生装置の製造番号を暗号化して上記記録媒体に記録することを特徴とする画像形成装置。
【請求項３】
請求項１記載の画像形成装置であって、
上記情報記録再生装置が上記別の情報記録再生装置の製造番号を記憶する手段を有し、上記製造番号を暗号化して上記記録媒体に記録することを特徴とする画像形成装置。
【請求項４】
請求項１記載の画像形成装置であって、
上記情報記録再生装置が、上記情報記録再生装置に固有のデータを記憶する手段を有し、上記固有のデータを暗号化して上記記録媒体に記録することを特徴とする画像形成装置。
【請求項５】
請求項１記載の画像形成装置であって、上記情報記録再生装置は、
上記情報記録再生装置の製造番号を記憶する手段と、
上記情報記録再生装置に固有のデータを記憶する手段と
を有し、上記情報記録再生装置の製造番号と上記固有のデータを暗号化して上記記録媒体に記録することを特徴とする画像形成装置。
【請求項６】
請求項２または３記載の画像形成装置であって、
上記記録媒体から再生された暗号化された製造番号を復号化し、
上記復号化された製造番号と上記情報記録再生装置に記憶された製造番号とが一致した時に、上記記録媒体から再生されたデータを復号化して上記記憶装置に入力することを特徴とする画像形成装置。
【請求項７】
請求項４記載の画像形成装置であって、
上記記録媒体から再生された暗号化された固有のデータを復号化し、
上記復号化された固有のデータと上記情報記録再生装置に記憶された固有のデータとが一致した時に、上記記録媒体から再生されたデータを復号化して上記記憶装置に入力することを特徴とする画像形成装置。
【請求項８】
請求項５記載の画像形成装置であって、
上記記録媒体に記録された暗号化された製造番号と固有のデータを復号化し、
上記復号化された製造番号と上記情報記録再生装置に記憶された製造番号とが一致し、かつ、上記復号化された固有のデータと上記情報記録再生装置に記憶された固有のデータとが一致した時に、上記記録媒体から再生されたデータを復号化して上記記憶装置に入力することを特徴とする画像形成装置。
【手続補正２】
【補正対象書類名】明細書
【補正対象項目名】０００８
【補正方法】変更
【補正の内容】
【０００８】
上記目的を達成するため、請求項１に係る発明は、入力されたデータを記憶する記憶装置と、上記記憶装置内のデータを記録媒体に記録再生する情報記録再生装置とを有する画像形成装置であって、上記情報記録再生装置は、上記記録媒体にデータを記録する時にデータを暗号化して上記記録媒体に記録させる暗号化手段と、上記記録媒体からデータを再生する時に上記記録媒体から再生したデータを復号化する復号化手段と、上記暗号化と上記復号化に使用する、上記情報記録再生装置に固有の暗号鍵を記憶する手段とを有し、上記情報記録再生装置が別の情報記録再生装置に固有の暗号鍵を記憶する手段を有し、上記別の情報記録再生装置に固有の暗号鍵をデータの復号化に使用するものである。
【手続補正３】
【補正対象書類名】明細書
【補正対象項目名】０００９
【補正方法】変更
【補正の内容】
【０００９】
請求項２に係る発明は、請求項１記載の画像形成装置であって、上記情報記録再生装置が上記情報記録再生装置の製造番号を記憶する手段を有し、上記情報記録再生装置の製造番号を暗号化して上記記録媒体に記録するものである。
【手続補正４】
【補正対象書類名】明細書
【補正対象項目名】００１０
【補正方法】変更
【補正の内容】
【００１０】
請求項３に係る発明は、請求項１記載の画像形成装置であって、上記情報記録再生装置が上記別の情報記録再生装置の製造番号を記憶する手段を有し、上記製造番号を暗号化して上記記録媒体に記録するものである。
【手続補正５】
【補正対象書類名】明細書
【補正対象項目名】００１１
【補正方法】変更
【補正の内容】
【００１１】
請求項４に係る発明は、請求項１記載の画像形成装置であって、上記情報記録再生装置が、上記情報記録再生装置に固有のデータを記憶する手段を有し、上記固有のデータを暗号化して上記記録媒体に記録するものである。
【手続補正６】
【補正対象書類名】明細書
【補正対象項目名】００１２
【補正方法】変更
【補正の内容】
【００１２】
請求項５に係る発明は、請求項１記載の画像形成装置であって、上記情報記録再生装置は、上記情報記録再生装置の製造番号を記憶する手段と、上記情報記録再生装置に固有のデータを記憶する手段とを有し、上記情報記録再生装置の製造番号と上記固有のデータを暗号化して上記記録媒体に記録するものである。
【手続補正７】
【補正対象書類名】明細書
【補正対象項目名】００１３
【補正方法】変更
【補正の内容】
【００１３】
請求項６に係る発明は、請求項２または３記載の画像形成装置であって、上記記録媒体から再生された暗号化された製造番号を復号化し、上記復号化された製造番号と上記情報記録再生装置に記憶された製造番号とが一致した時に、上記記録媒体から再生されたデータを復号化して上記記憶装置に入力するものである。
【手続補正８】
【補正対象書類名】明細書
【補正対象項目名】００１４
【補正方法】変更
【補正の内容】
【００１４】
請求項７に係る発明は、請求項４記載の画像形成装置であって、上記記録媒体から再生された暗号化された固有のデータを復号化し、上記復号化された固有のデータと上記情報記録再生装置に記憶された固有のデータとが一致した時に、上記記録媒体から再生されたデータを復号化して上記記憶装置に入力するものである。
【手続補正９】
【補正対象書類名】明細書
【補正対象項目名】００１５
【補正方法】変更
【補正の内容】
【００１５】
請求項８に係る発明は、請求項５記載の画像形成装置であって、上記記録媒体に記録された暗号化された製造番号と固有のデータを復号化し、上記復号化された製造番号と上記情報記録再生装置に記憶された製造番号とが一致し、かつ、上記復号化された固有のデータと上記情報記録再生装置に記憶された固有のデータとが一致した時に、上記記録媒体から再生されたデータを復号化して上記記憶装置に入力するものである。
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】